(57)【要約】      （修正有）【課題】回転中の異常音発生を防止できるアダプタ構造および電気スタンドを提供する。【解決手段】電気スタンドのアダプタ構造は、第一の構造部材１００、第二の構造部材２００、アダプタ機構３００およびワッシャ機構４００を含み、第一の構造部材は、第一の構造本体１１０と、二つの構造ラグ１２０とを含み、構造ラグのいずれにも第一の穿孔が開設され、第二の構造部材は、ポリカーボネート材料で作られ、第二の構造本体２１０と、構造突起２２０とを含み、構造突起には第二の穿孔が開設され、アダプタ機構は、アダプタロッド３１０と、第一および第二の制限部材３２０、３３０を含み、アダプタロッドは、第一、第二の穿孔を共に通過し、制限部材の少なくとも一方は、アダプタロッドの伸長方向に移動可能に接続され、ワッシャ機構は、アダプタロッドを通す二つのワッシャ組立体４１０を含む。【選択図】図２
0003226749.tif 000002
【実用新案登録請求の範囲】
【請求項１】
第一の構造本体及び互いに離間している二つの構造ラグを含む第一の構造部材であって、前記二つの構造ラグが両方とも前記第一の構造本体に接続され、前記二つの構造ラグのいずれにも第一の穿孔が開設されている、第一の構造部材と、
ポリカーボネート材料で作られ、第二の構造本体及び前記二つの構造ラグの間に位置する構造突起を含む第二の構造部材であって、前記構造突起が前記第二の構造本体に接続され、前記構造突起に第二の穿孔が開設されている、第二の構造部材と、
アダプタロッド、並びに前記アダプタロッドに接続された第一の制限部材および第二の制限部材を含むアダプタ機構であって、前記アダプタロッドが前記第二の穿孔および二つの前記第一の穿孔を共に通過し、前記第一の制限部材および前記第二の制限部材のうちの少なくとも一方が前記アダプタロッドに移動可能に接続され、かつ前記アダプタロッドの伸長方向に沿って移動できる、アダプタ機構と、
前記アダプタロッドを通す二つのワッシャ組立体を含むワッシャ機構であって、前記構造ラグと前記構造突起のいずれにも一つの前記ワッシャ組立体が設けられ、前記ワッシャ組立体が、前記構造突起に固定接続され、かつリング構造を有する金属ワッシャ、及び前記構造ラグに固定接続され、かつ前記金属ワッシャに適合し、リング構造を有するナイロンワッシャを含む、ワッシャ機構と、
を備えるアダプタ構造において、
前記構造突起、前記二つの構造ラグおよび前記二つのワッシャ組立体は、いずれも前記第一の制限部材と前記第二の制限部材との間に配置されることを特徴とするアダプタ構造。
【請求項２】
前記金属ワッシャは、リングシート構造を有する金属ワッシャ本体と、前記金属ワッシャ本体に接続され、かつ前記構造突起に向かって延び、前記構造突起と嵌合する少なくとも一つの差込シートとを含むことを特徴とする請求項１に記載のアダプタ構造。
【請求項３】
前記差込シートは、前記金属ワッシャ本体の外周に接続されることを特徴とする請求項２に記載のアダプタ構造。
【請求項４】
前記金属ワッシャ本体は、前記差込シートと一体的に構成されることを特徴とする請求項２に記載のアダプタ構造。
【請求項５】
前記第一の制限部材および前記第二の制限部材のうちの少なくとも一方は、ボルト構造によって前記アダプタロッドに移動可能に接続されることを特徴とする請求項１から４のいずれか一項に記載のアダプタ構造。
【請求項６】
前記第一の制限部材は、ボルト構造によって前記アダプタロッドに移動可能に接続され、前記第二の制限部材は、前記アダプタロッドに固定接続されることを特徴とする請求項５に記載のアダプタ構造。
【請求項７】
前記アダプタ構造は、前記第一の制限部材と前記構造ラグとの間に位置し、かつ前記アダプタロッドを通すウェーブワッシャをさらに含むことを特徴とする請求項６に記載のアダプタ構造。
【請求項８】
前記アダプタ構造は、前記ウェーブワッシャと前記構造ラグとの間に位置し、かつ前記アダプタロッドを通す銅ワッシャをさらに含むことを特徴とする請求項７に記載のアダプタ構造。
【請求項９】
前記二つの構造ラグには、前記構造突起とは反対側の側面に収容溝が開設され、前記第一の制限部材および前記第二の制限部材はそれぞれ一つの前記収容溝内に配置されることを特徴とする請求項１から４のいずれか一項に記載のアダプタ構造。
【請求項１０】
請求項１から９のいずれか一項に記載のアダプタ構造を含むことを特徴とする電気スタンド。
【考案の詳細な説明】
【技術分野】
【０００１】
本考案は、ランプ照明の技術分野に属し、特にアダプタ構造および電気スタンドに関する。
【背景技術】
【０００２】
照明領域を調整するために、電気スタンドは通常、アダプタ構造によって実現される。また、コストを削減するために、アダプタ構造の本体構造部材は通常ポリカーボネート材料（以下、ＰＣ材料と称する）で作られていることで、ＰＣ材料構造部材と金属ワッシャがアダプタ係合する。しかしながら、ＰＣ材料構造部材と金属ワッシャが回転する過程で、鋭い音がして異常音が発生する。
【考案の概要】
【考案が解決しようとする課題】
【０００３】
本考案は、上記の従来技術の欠点を克服し、回転中に異常音が発生するという技術的課題を解決しようとするアダプタ構造を提供することを目的とする。
【課題を解決するための手段】
【０００４】
本考案は、以下のように実現される。
アダプタ構造は、
第一の構造本体及び互いに離間している二つの構造ラグを含む第一の構造部材であって、二つの構造ラグが両方とも第一の構造本体に接続され、二つの構造ラグのいずれにも第一の穿孔が開設されている、第一の構造部材と、
ＰＣ材料で作られ、第二の構造本体及び二つの構造ラグの間に位置する構造突起を含む第二の構造部材であって、構造突起が第二の構造本体に接続され、構造突起に第二穿孔が開設されている、第二の構造部材と、
アダプタロッド、並びにアダプタロッドに接続された第一の制限部材及び第二の制限部材を含むアダプタ機構であって、アダプタロッドが第二の穿孔および二つの第一の穿孔を共に通過し、第一の制限部材および第二の制限部材のうちの少なくとも一方がアダプタロッドに移動可能に接続され、かつアダプタロッドの伸長方向に沿って移動できる、アダプタ機構と、
アダプタロッドを通す二つのワッシャ組立体を含むワッシャ機構であって、構造ラグと構造突起のいずれにも一つのワッシャ組立体が設けられ、ワッシャ組立体が、構造突起に固定接続され、かつリング構造を有する金属ワッシャ、及び構造ラグに固定接続され、かつ金属ワッシャに適合し、リング構造を有するナイロンワッシャを含む、ワッシャ機構と、
を備え、
構造突起、二つの構造ラグおよび二つのワッシャ組立体は、いずれも第一の制限部材と第二の制限部材との間に配置される。
【０００５】
選択的に、金属ワッシャは、リングシート構造を有する金属ワッシャ本体と、金属ワッシャ本体に接続され、かつ構造突起に向かって延び、構造突起と嵌合する少なくとも一つの差込シートとを含む。
選択的に、差込シートは、金属ワッシャ本体の外周に接続される。
選択的に、金属ワッシャ本体は、差込シートと一体的に構成される。
選択的に、第一の制限部材および第二の制限部材のうちの少なくとも一方は、ボルト構造によってアダプタロッドに移動可能に接続される。
【０００６】
選択的に、第一の制限部材は、ボルト構造によってアダプタロッドに移動可能に接続され、第二の制限部材は、アダプタロッドに固定接続される。
選択的に、アダプタ構造は、第二の制限部材と構造ラグとの間に位置し、かつアダプタロッドを通すウェーブワッシャをさらに含む。
選択的に、アダプタ構造は、ウェーブワッシャと構造ラグとの間に位置し、かつアダプタロッドを通す銅ワッシャをさらに含む。
選択的に、二つの構造ラグには、構造突起とは反対側の側面に収容溝が開設され、第一の制限部材および第二の制限部材はそれぞれ一つの収容溝内に配置される。
本考案は、上記のアダプタ構造を含む電気スタンドをさらに提供する。
【考案の効果】
【０００７】
ナイロンワッシャが設けられているため、金属ワッシャとＰＣ材料で作られた構造突起との直接的な接触が回避され、また、ナイロンワッシャと金属ワッシャの相対回転中、ＰＣ材料が金属ワッシャを擦って鋭い音を出すのを防ぎ、それにより、異常音の発生が回避される。
【図面の簡単な説明】
【０００８】
本考案の実施例における技術的解決手段をより明確に説明するために、以下、実施例で使用される図面を簡単に紹介する。当然のことながら、以下の説明における図面は、本考案のいくつかの実施例に過ぎず、当業者であれば、創造的な行為を要することなく、これらの図面に基づく他の図面を得ることができる。
【０００９】
【図１】本考案の実施例に係るアダプタ構造の全体構造の模式図である。
【図２】本考案の実施例に係るアダプタ構造の分解図である。
【図３】図２のＡの拡大構造の模式図である。
【図４】本考案の実施例に係るアダプタ構造内の金属ワッシャの拡大構造の模式図である。
【図５】本考案の実施例に係るアダプタ構造の別の視点からの分解図である。
【図６】本考案の実施例に係る電気スタンドの構造の模式図である。
【考案を実施するための形態】
【００１０】
本考案の目的、技術的解決手段および利点をより明らかにするために、以下、図面および実施例に合わせて本考案をより詳細に説明する。ここで説明される具体的な実施例は本考案を解釈するためのものに過ぎず、本考案を限定するためのものではないことを理解すべきである。
【００１１】
本考案の実施例は、アダプタ構造を提供する。
図１から図５を参照し、当該アダプタ構造は、第一の構造部材１００、第二の構造部材２００、アダプタ機構３００およびワッシャ機構４００を含む。
【００１２】
第一の構造部材１００は、ＰＣ材料で作られ、第一の構造本体１１０と、互いに離間して設けられた二つの構造ラグ１２０とを含み、二つの構造ラグ１２０は両方とも第一の構造本体１１０に接続され、二つの構造ラグ１２０のいずれにも第一の穿孔１２０１が開設される。この具体的な実施例において、第一の構造本体１１０は、第一の構造本体１１０と二つの構造ラグ１２０との間の機械的接続強度を高めるように、二つの構造ラグ１２０と一体的に構成される。
【００１３】
第二の構造部材２００は、ＰＣ材料で作られ、第二の構造本体２１０と、二つの構造ラグ１２０の間に位置する構造突起２２０とを含み、構造突起２２０は第二の構造本体２１０に接続され、構造突起２２０には第二の穿孔２２０１が開設される。この具体的な実施例において、第二の構造本体２１０は、第一の構造本体１１０と二つの構造ラグ１２０との間の機械的接続強度を高めるように、構造突起２２０と一体的に構成される。
【００１４】
アダプタ機構３００は、アダプタロッド３１０と、アダプタロッド３１０に共に接続された第一の制限部材３２０および第二の制限部材３３０とを含み、アダプタロッド３１０は、第二の穿孔２２０１および二つの第一の穿孔１２０１を共に通過し、第一の制限部材３２０および第二の制限部材３３０のうちの少なくとも一方は、アダプタロッド３１０に移動可能に接続され、かつアダプタロッド３１０の伸長方向に沿って移動でき、このようにして、第一の構造部材１００および第二の構造部材２００は、アダプタ機構３００によって、第一の構造部材１００と第二の構造部材２００とのアダプタ係合が実現される。
【００１５】
ワッシャ機構４００は、アダプタロッド３１０を通す二つのワッシャ組立体４１０を含み、構造ラグ１２０と構造突起２２０のいずれにも一つのワッシャ組立体４１０が設けられ、そのうち、ワッシャ組立体４１０は、構造突起２２０に固定接続され、かつリング構造を有する金属ワッシャ４１１と、構造ラグ１２０に固定接続され、かつ金属ワッシャ４１１に適合し、リング構造を有するナイロンワッシャ４１２とを含む。本考案において、金属ワッシャ４１１は、ステンレス鋼材で作られている。
【００１６】
本考案の実施例において、構造突起２２０、二つの構造ラグ１２０および二つのワッシャ組立体４１０は、いずれも第一の制限部材３２０と第二の制限部材３３０との間に配置される。
ナイロンワッシャ４１２が設けられているため、金属ワッシャ４１１とＰＣ材料で作られた構造突起２２０との直接的な接触が回避され、また、ナイロンワッシャ４１２と金属ワッシャ４１１の相対回転中、ＰＣ材料が金属ワッシャ４１１を擦って鋭い音を出すのを防ぎ、それにより、異常音の発生が回避される。
【００１７】
また、本考案に基づく構造設計は、組み立てやすいという利点をさらに有し、具体的には、組立中に、
まず、二つの金属ワッシャ４１１を両方とも構造突起２２０に固定し、二つのナイロンワッシャ４１２をそれぞれ一つの構造ラグ１２０に固定する。
次に、二つの構造ラグ１２０の間に構造突起２２０および二つの金属ワッシャ４１１を共に配置する。
次いで、第二の穿孔２２０１および二つの第一の穿孔１２０１にアダプタロッド３１０を共に通す。
最後に、アダプタロッド３１０が緩むのを防止するために、第一の制限部材３２０および第二の制限部材３３０を互いに向かって移動させる。
【００１８】
図２および図５を参照し、本考案の実施例において、金属ワッシャ４１１は、リングシート構造を有する金属ワッシャ本体４１１１と、金属ワッシャ本体４１１１に接続され、かつ構造突起２２０に向かって延び、構造突起２２０と嵌合する少なくとも一つの差込シート４１１２とを含む。この構造設計に基づいて、組立中に、差込シート４１１２を構造突起２２０に差し込むだけで、金属ワッシャ４１１と構造突起２２０との接続を実現でき、組立効率を改善するのに有利である。
【００１９】
さらに、各差込シート４１１２は、いずれも金属ワッシャ本体４１１１の外周に接続され、金属ワッシャ本体４１１１は、各差込シート４１１２と一体的に構成される。このようにして、金属ワッシャ４１１の製造中に、スタンピングによって成型することができ、製造効率を改善するのに有利である。
【００２０】
図２および図５を参照し、本考案の実施例において、第一の制限部材３２０および第二の制限部材３３０のうちの少なくとも一方は、ボルト構造によってアダプタロッド３１０に移動可能に接続される。ボルト構造によって、第一の制限部材３２０と第二の制限部材３３０との間の相対位置を調節しやすくなる。
【００２１】
具体的には、第一の制限部材３２０は、ボルト構造によってアダプタロッド３１０に移動可能に接続され、第二の制限部材３３０は、アダプタロッド３１０に固定接続される。第一の制限部材３２０は既存構造のナットを使用し、第二の制限部材３３０およびアダプタロッド３１０は既存のねじを使用できるため、市販の標準構造の部材をそのまま使用でき、コストを削減するのに有利である。
【００２２】
図２および図５を参照し、本考案の実施例において、アダプタ構造は、第一の制限部材３２０と構造ラグ１２０との間に位置し、かつアダプタロッド３１０を通すウェーブワッシャ５００をさらに含む。ウェーブワッシャ５００の配置によって、第一の制限部材３２０が外力により自転するのを防ぎ、それにより、アダプタ機構３００が緩むのを防ぐのに有利である。
【００２３】
図２および図５を参照し、本考案の実施例において、アダプタ構造は、ウェーブワッシャ５００と構造ラグ１２０との間に位置し、かつアダプタロッド３１０を通す銅ワッシャ６００をさらに含む。このようにして、ウェーブワッシャ５００は、銅ワッシャ６００を介して構造突起２２０に当接し、ウェーブワッシャ５００が構造突起２２０に直接接触することが回避される。
【００２４】
図２および図５を参照し、本考案の実施例において、二つの構造ラグ１２０には、構造突起２２０とは反対側の側面に収容溝１２０２が開設され、第一の制限部材３２０および第二の制限部材３３０はそれぞれ一つの収容溝１２０２内に配置される。
さらに、図１、図２および図５を参照し、本考案の実施例において、アダプタ構造は、第二の制限部材３３０を覆うカバー部材７００をさらに含み、それは、第二の制限部材３３０の露出を防止でき、よって、アダプタ構造の美観が向上する。
【００２５】
図６を参照し、本考案は、アダプタ構造を含む電気スタンドをも提供し、当該アダプタ構造の具体的な構造は上記の実施例を参照し、本電気スタンドは、上記のすべての実施例のすべての技術的解決手段を採用しているため、上記の実施例の技術的解決手段によってもたらされるすべての有益な効果を有し、ここでは繰り返されない。
【００２６】
具体的には、本実施例において、電気スタンドは、二つのアダプタ構造を含む。
上記は本考案の好適な実施例に過ぎず、本考案を限定するためのものではなく、本考案の精神および原則においてなされたあらゆる変更、等価取替及び改良などは、本考案の保護範囲に含まれるはずである。
【符号の説明】
【００２７】
１００  第一の構造部材
１１０  第一の構造本体
１２０  構造ラグ
１２０１  第一の穿孔
１２０２  収容溝
２００  第二の構造部材
２１０  第二の構造本体
２２０  構造突起
２２０１  第二の穿孔
３００  アダプタ機構
３１０  アダプタロッド
３２０  第一の制限部材
３３０  第二の制限部材
４００  ワッシャ機構
４１０  ワッシャ組立体
４１１  金属ワッシャ
４１２  ナイロンワッシャ
４１１１  金属ワッシャ本体
４１１２  差込シート
５００  ウェーブワッシャ
６００  銅ワッシャ
７００  カバー部材
【図１】
0003226749.tif 000003
【図２】
0003226749.tif 000004
【図３】
0003226749.tif 000005
【図４】
0003226749.tif 000006
【図５】
0003226749.tif 000007
【図６】
0003226749.tif 000008